(57)【要約】【課題】複数のコンロ熱源３Ｌ，３Ｒ，３Ｍとグリル４とを備えるグリル付コンロにおいて、操作パネル７Ｌ，７Ｒに配置する操作子のうちどれがグリル用操作子９Ｇであるかを明瞭に識別できるようにする。【解決手段】グリル扉６の横方向片側に隣接する操作パネル７Ｌの部分にグリル用操作子９Ｇを配置すると共に、グリル扉６から操作パネル７Ｌのグリル用操作子９Ｇの配置部に亘り、上下方向に等幅で横方向に連続して延在する帯状模様部１３を設ける。好ましくは、グリル扉６の着色コーティング付の窓ガラス６１でグリル扉６の帯状模様部１３ａを構成すると共に、操作パネル７Ｌに、窓ガラス６１に近似した質感を持つ着色コーティング付の透光板７５を装着し、透光板７５により操作パネル７Ｌの帯状模様部１３ｂを構成する。【選択図】図１
2005351499.tif 000002
【特許請求の範囲】
【請求項１】
天板上の被加熱物を加熱する複数のコンロ熱源とグリルとを備えるグリル付コンロであって、コンロ本体の前面に、グリルの前面を開閉するグリル扉と操作パネルとを設け、操作パネルに、複数のコンロ熱源用操作子とグリル用操作子とを配置するものにおいて、
グリル扉の横方向片側に隣接する操作パネルの部分にグリル用操作子を配置すると共に、
グリル扉から操作パネルのグリル用操作子の配置部に亘り、上下方向に等幅で横方向に連続して延在する帯状模様部を設けることを特徴とするグリル付コンロ。
【請求項２】
前記操作パネルは、前記グリル扉の横方向両側に設けられ、グリル扉をコンロ本体の前面の横方向中央から横方向一方に片寄らせて、横方向一方側の操作パネルの横方向長さを横方向他方側の操作パネルの横方向長さより短くし、横方向他方側の操作パネルに前記複数のコンロ熱源用操作子を纏めて配置し、横方向一方側の操作パネルに前記グリル用操作子を配置することを特徴とする請求項１記載のグリル付コンロ。
【請求項３】
前記グリル扉に装着する窓ガラスが、グリル扉の横方向全長に亘って上下方向に等幅でグリル扉の前面に露出するようにし、窓ガラスにグリルの庫内を見るための覗部を除いて不透明の着色コーティングを施し、窓ガラスのグリル扉前面への露出部分でグリル扉の前記帯状模様部を構成することを特徴とする請求項１または２記載のグリル付コンロ。
【請求項４】
前記操作パネルの前記帯状模様部の設置部に透光板を装着し、透光板に前記窓ガラスの着色コーティングと同色の着色コーティングを施して、透光板により操作パネルの帯状模様部を構成することを特徴とする請求項３記載のグリル付コンロ。
【請求項５】
前記透光板は、前記グリル扉の閉じ状態で前記窓ガラスと面一になるように前記操作パネルに装着されていることを特徴とする請求項４記載のグリル付コンロ。
【発明の詳細な説明】
【技術分野】
【０００１】
本発明は、天板上の被加熱物を加熱する複数のコンロ熱源とグリルとを備えるグリル付コンロに関する。
【背景技術】
【０００２】
グリル付コンロでは、コンロ本体の前面に、グリルの前面を開閉するグリル扉と操作パネルとが設けられ、操作パネルに、複数のコンロ熱源用操作子とグリル用操作子とが配置される。この場合、どの操作子がグリル用であるか容易には識別できなくなることがある。そのため、一般的に、グリル用操作子の端面或いは操作パネルのグリル用操作子の近傍部分にグリル用であることを示す魚マーク等の表示を付しているが、この表示はスペース的な制約から小さくせざるを得ず、表示だけでグリル用操作子を明瞭に識別することは困難である。
【０００３】
そこで、従来、グリル用操作子を魚の形状に形成し、グリル用操作子を明瞭に識別できるようにしたものが知られている（例えば、特許文献１参照）。然し、これでは、グリル用操作子の特異な形状が幼稚な感じを与えてしまい、体裁を損なう。
【特許文献１】特開２０００−２６６３５０号公報（０００６、図１，図２）
【発明の開示】
【発明が解決しようとする課題】
【０００４】
本発明は、以上の点に鑑み、体裁を損なうことなくグリル用操作子を明瞭に識別できるようにしたグリル付コンロを提供することをその課題としている。
【課題を解決するための手段】
【０００５】
上記課題を解決するために、本発明は、天板上の被加熱物を加熱する複数のコンロ熱源とグリルとを備えるグリル付コンロであって、コンロ本体の前面に、グリルの前面を開閉するグリル扉と操作パネルとを設け、操作パネルに、複数のコンロ熱源用操作子とグリル用操作子とを配置するものにおいて、グリル扉の横方向片側に隣接する操作パネルの部分にグリル用操作子を配置すると共に、グリル扉から操作パネルのグリル用操作子の配置部に亘り、上下方向に等幅で横方向に連続して延在する帯状模様部を設けることを特徴とする。
【０００６】
上記の構成によれば、グリル用操作子とグリル扉とが帯状模様部により結ばれ、グリル用操作子とグリルとの関連性が視覚的に強く印象付けられる。従って、グリル用操作子を魚形状といった特殊な形状にしなくても、グリル用操作子を明瞭に識別でき、体裁も良好になる。
【０００７】
また、グリル扉の横方向両側に操作パネルを設ける場合、グリル扉をコンロ本体の前面の横方向中央から横方向一方に片寄らせて、横方向一方側の操作パネルの横方向長さを横方向他方側の操作パネルの横方向長さより短くし、横方向他方側の操作パネルに複数のコンロ熱源用操作子を纏めて配置し、横方向一方側の操作パネルにグリル用操作子を配置することが望ましい。これによれば、コンロ熱源用操作子から孤立して配置されるグリル用操作子が上記帯状模様部によりグリル扉と結ばれることになり、グリル用操作子をより一層明瞭に識別できるようになる。
【０００８】
尚、グリル扉の前面にプリント等で帯状模様部を形成することも可能であるが、これでは手間がかかる。ここで、従来からグリル扉には窓ガラスが装着され、この窓ガラスには、グリル扉の裏板が見えないように、グリルの庫内を見るための覗部を除いて不透明の着色コーティングが施されている。そして、窓ガラスがグリル扉の横方向全長に亘って上下方向に等幅でグリル扉の前面に露出するようにしておけば、窓ガラスのグリル扉前面への露出部分でグリル扉の帯状模様部、即ち、窓ガラスの着色コーティングで色付けされた帯状模様部を構成することができる。これによれば、別途帯状模様部を形成せずに済み、コストダウンを図れる。
【０００９】
また、このように窓ガラスの露出部分でグリル扉の帯状模様部を構成する場合、操作パネルの帯状模様部の設置部に透光板を装着し、透光板に窓ガラスの着色コーティングと同色の着色コーティングを施して、透光板により操作パネルの帯状模様部を構成することが望ましい。これによれば、グリル扉の帯状模様部と操作パネルの帯状模様部との質感的な一体感が得られ、グリル用操作子とグリルとの関連性を視覚的により強く印象付けることができる。更に、透光板を、グリル扉の閉じ状態で窓ガラスと面一になるように操作パネルに装着すれば、グリル扉の帯状模様部と操作パネルの帯状模様部との間の三次元的な連続性も確保され、両帯状模様部の一体感が一層良好に得られる。
【発明を実施するための最良の形態】
【００１０】
図１は、システムキッチンのカウンタトップＣＴ(図２参照)に組み込むドロップイン式のグリル付ガスコンロを示している。このコンロは、上面を開放面とする箱形のコンロ本体１を備えている。コンロ本体１の上縁には、図２に示す如く、外曲げフランジ１ａが形成されており、コンロ本体１をカウンタトップＣＴに開設したコンロ開口ＣＴａに落とし込んだ状態で、外曲げフランジ１ａをコンロ開口ＣＴａの開口縁部に掛止して、コンロ本体１をカウンタトップＣＴに吊持させている。そして、カウンタトップＣＴ上に載置する天板２によりコンロ本体１を外曲げフランジ１ａに亘って上方から覆うようにしている。
【００１１】
コンロ本体１には、コンロ熱源たる前側の左右２個と後部中央の１個の計３個のコンロバーナ３Ｌ，３Ｒ，３Ｍと、グリル４とが配置されている。そして、天板２に、これら各コンロバーナ３Ｌ，３Ｒ，３Ｍを臨ませる開口を形成して、各開口を囲うように五徳５を載置すると共に、天板２の後部に、グリル４用の排気口２ａを形成している。尚、各コンロバーナ３Ｌ，３Ｒ，３Ｍには、その内周空間に位置させて、五徳５上の調理容器の底面に当接してその温度を検出する鍋底温度センサ３ａが付設されている。
【００１２】
コンロ本体１の前部は、コンロ開口ＣＴａの前側のカウンタトップＣＴの部分の下方に潜り込んでおり、この前部の前面に、カウンタトップＣＴの下で前方に露出するように、グリル扉６とその左右の操作パネル７Ｌ，７Ｒとが設けられている。また、コンロ本体１の左右の各外側面には、カウンタトップＣＴの下に確保するコンロ設置空間の左右の各側面との間に生ずる隙間を前方から封鎖するエンドピース８が取付けられている。
【００１３】
グリル扉６は、コンロ本体１の横方向中央部から左側に片寄った位置に配置されており、右側の操作パネル７Ｒの方が左側の操作パネル７Ｌより横方向長さが長くなっている。そして、右側の操作パネル７Ｒに、横方向に並べて３個のコンロバーナ３Ｌ，３Ｒ，３Ｍ用の３個の操作子９Ｂを配置すると共に、これら操作子９Ｂの配置部の下側に、各コンロバーナ３Ｌ，３Ｒ，３Ｍでの加熱モードの設定や加熱温度等の設定を行う各種操作スイッチと表示部とを有する引き出し方式のコントロールパネル１０Ｂを配置し、更に、右上隅に電源スイッチ１１を配置している。尚、右側の操作パネル７Ｒの左の操作子９Ｂは左側のコンロバーナ３Ｌを操作するものであり、中央の操作子９Ｂは後部中央のコンロバーナ３Ｍを操作するものであり、右の操作子９Ｂは右側のコンロバーナ３Ｒを操作するものである。左側の操作パネル７Ｌには、グリル４用の操作子９Ｇと、その下側の引き出し方式のグリル用コントロールパネル１０Ｇとが配置されている。
【００１４】
各操作パネル７Ｌ，７Ｒの裏面には、夫々、コンロバーナ用操作子９Ｂまたはグリル用操作子９Ｇを支持する支持枠が連結されている。この点を左側の操作パネル７Ｌ及びグリル用操作子９Ｇを支持する支持枠１２について図２を参照して詳述する。支持枠１２は、後方に開口する樹脂製の箱体１２１と、箱体１２１の後端の開口面に取付けられる蓋板１２２とで構成されており、蓋板１２２にグリル用操作子９Ｇが支持されている。ここで、箱体１２１の前面には、上下に張り出すフランジ部で構成される上下一対の雄型の係合部１２３が形成されている。また、操作パネル７Ｌは、高級感を出すため、金属、例えば、アルミニウムの押し出し成形材で形成されている。操作パネル７Ｌの裏面側には、押し出し成形時に、前記雄型係合部１２３に対応する溝状の断面形状で横方向に延在する上下一対の雌型の係合部７１が形成される。そして、操作パネル７Ｌの雌型係合部７１に支持枠１２の雄型係合部１２３を横方向にスライドさせて係合させ、これにより操作パネル７Ｌの裏面に支持枠１２を連結している。
【００１５】
グリル用操作子９Ｇは、外面にアルミニウム製のキャップ９１を嵌着した円筒状であって、支持枠１２の蓋板１２２に固定したロータリーエンコーダ９２にプッシュプッシュ機構を組み込んだ中継部材９３を介して連結される。また、蓋板１２２に、ロータリーエンコーダ９２の側部に位置させてリミットスイッチ９４を固定し、グリル用操作子９Ｇの後端部に、リミットスイッチ９４と協働する拡径部９５を設けている。グリル用操作子９Ｇは、常時は後方の没入位置に存し、没入位置から一度押し込むとプッシュプッシュ機構の働きで前方の突出位置（図２に実線で示す位置）に前進する。そして、グリル用操作子９Ｇの突出位置への前進がリミットスイッチ９４で検出されると、グリル４に設けたグリルバーナ（図示せず）に点火され、更に、突出位置での操作子９Ｇの回転操作により、ロータリーエンコーダ９２からの信号が図外のコントローラに送信され、グリルバーナの火力が調節される。また、支持枠１２の箱体１２１には、グリル用操作子９Ｇを囲うリング部材９６が押え板１２４により後方から押さえつけた状態で装着される。尚、図１ではグリル用操作子９Ｇが没入状態で描かれている。
【００１６】
操作パネル７Ｌの下部は、支持枠１２の前面に接合する上部に対し後方に凹入しており、この凹入部７２に、押し出し成形後のプレス加工で、コントロールパネル１０Ｇの収納ボックス１０１（図２参照）を装着する開口７３が形成されている。コントロールパネル１０Ｇは、収納ボックス１０１に組み込んだプッシュプッシュ機構（図示せず）により、一旦押し込むことで収納ボックス１０１の前方に押し出され、コントロールパネル１０Ｇの上面の操作面が操作パネル７Ｌの前方に突出する。尚、コントロールパネル１０Ｇの前端には、外面にアルミニウム板を貼り付けた蓋板１０２が取付けられており、コントロールパネル１０Ｇの収納状態では、蓋板１０２が操作パネル７Ｌの上部と面一になって凹入部７２を覆い隠し、体裁が良好に保たれる。
【００１７】
ところで、上記の如く右側操作パネル７Ｒに３個のコンロバーナ用操作子９Ｂを纏めて配置し、左側操作パネル７Ｌにグリル用操作子９Ｇを配置すると、グリル用操作子９Ｇがコンロバーナ用操作子９Ｂから孤立して、グリル用操作子９Ｇを識別し易くなる。然し、グリル用操作子９Ｇが左側のコンロバーナ３Ｌ用の操作子であると誤認する可能性は残る。
【００１８】
そこで、グリル扉６から左側操作パネル７Ｌのグリル用操作子９Ｇの配置部に亘り、上下方向に等幅で横方向に連続して延在する帯状模様部１３を設け、グリル用操作子９Ｇとグリル４との関連性が視覚的に強く印象付けられるようにしている。ここで、グリル扉６には窓ガラス６１が装着されており、窓ガラス６１の上部を押える上飾り板６２と窓ガラス６１の下部を押える下飾り板６３との間において、窓ガラス６１がグリル扉６の横方向全長に亘って上下方向に等幅でグリル扉６の前面に露出するようにしている。窓ガラス６１の裏面には、グリル扉６の裏板（図示せず）を目隠しする目的で、グリル４の庫内を見るための覗部６１ａを除き不透明の着色コーティング（図１のドット部分）が施されている。従って、グリル扉６の前面に露出する窓ガラス６１の露出部分に、着色コーティングで色付けされた帯状の模様が現われる。そこで、本実施形態では、窓ガラス６１の露出部分でグリル扉６の帯状模様部１３ａを構成している。尚、着色コーティングの色は、暗色、例えば黒にすることが望ましい。これによれば、庫内が暗いグリル４の不使用時、窓ガラス６１の露出部分が覗部６１ａも含めて暗色になり、帯状模様部１３ａが窓ガラス６１の横方向全長に亘って延在するような印象を与えることができる。
【００１９】
左側操作パネル７Ｌには、窓ガラス６１の露出部分と同一の上下方向幅で該露出部分の横方向に連続する切欠き７４が形成されている。そして、操作パネル７Ｌの裏面に、切欠き７４に臨むようにガラス製や樹脂製の透光板７５を接着剤等で固定し、この透光板７５に形成した操作子用開口７５ａに、グリル用操作子９Ｇを囲う前記リング部材９６の先端部を嵌合させている。透光板７５の裏面には、窓ガラス６１の着色コーティングと同色の着色コーティング（図１のドット部分）が施されている。かくして、操作パネル７Ｌの前面に切欠き７４を通して露出する透光板７５の部分により操作パネル７Ｌの帯状模様部１３ｂが構成され、この帯状模様部１３ｂにグリル用操作子９Ｇが配置されることになる。これによれば、グリル扉６の帯状模様部１３ａと左側操作パネル７Ｌの帯状模様部１３ｂとが横方向に単純に連続するだけでなく、窓ガラス６１と透光板７５とにより両帯状模様部１３ａ，１３ｂの質感的な連続性も確保される。
【００２０】
更に、操作パネル７Ｌは、その前面がグリル扉６の閉じ状態でその上下の飾り板６２，６３の前面と面一になり、また、その肉厚が飾り板６２，６３の肉厚と等しくなるように形成されている。その結果、透光板７５は、グリル扉６の閉じ状態で窓ガラス６１と面一になる。そのため、グリル扉６の帯状模様部１３ａと左側操作パネル７Ｌの帯状模様部１３ｂとの質感的な連続性に加えて三次元的な連続性も確保され、両帯状模様部１３ａ，１３ｂの一体感が良好に得られる。従って、グリル用操作子９Ｇとグリル４との関連性を視覚的に強く印象付けることができ、グリル用操作子９Ｇを一見して明瞭に識別することができる。
【００２１】
尚、飾り板６２，６３は、操作パネル７Ｌと同一金属で形成され、グリル扉６と操作パネル７Ｌとの一体感も得られるようにしている。また、透光板７５による帯状模様部１３ｂはグリル用操作子９Ｇの配置部を超えて横方向外方にのびており、この部分にグリル用であることを示す魚の絵柄から成る表示７５ｂを念のためプリントしている。
【００２２】
右側操作パネル７Ｒには透光板７５が装着されていないが、この点を除くと、右側操作パネル７Ｒの構造及びコンロバーナ用操作子９Ｂを支持する支持枠の構造は、上記した左側操作パネル７Ｌ及びグリル用操作子９Ｇを支持する支持枠１２の構造と同様であり、その詳細は省略する。
【００２３】
以上、ドロップイン式のグリル付ガスコンロに本発明を適用した実施形態について説明したが、卓上式のグリル付ガスコンロにも本発明を適用でき、更には、コンロ熱源として電気ヒータを用いるグリル付電気コンロや、コンロ熱源として電磁誘導コイルを用いるグリル付ＩＨコンロにも同様に本発明を適用できる。また、上記実施形態では、グリル扉６の前面に露出する窓ガラス６１の部分でグリル扉６の帯状模様部１３ａを形成したが、グリル扉６の前面に露出する窓ガラス６１以外のパネル部分に操作パネル７Ｌ，７Ｒの地色とは異なる色を着色して、グリル扉６の全高に亘る幅の帯状模様部を形成しても良い。この場合、操作パネル７Ｌのグリル扉６に隣接する側縁からグリル用操作子９Ｇの配置部までの部分を、その全高に亘りグリル扉６のパネル部分と同色に着色し、操作パネル７Ｌの帯状模様部を形成する。
【図面の簡単な説明】
【００２４】
【図１】本発明の実施形態のグリル付コンロを示す斜視図。
【図２】図１のＩＩ−ＩＩ線で切断した切断側面図。
【符号の説明】
【００２５】
１…コンロ本体、２…天板、３Ｌ，３Ｒ，３Ｍ…コンロバーナ（コンロ熱源）、４…グリル、６…グリル扉、６１…窓ガラス、６１ａ…覗部、７Ｌ…左側（横方向一方側）の操作パネル、７Ｒ…右側（横方向他方側）の操作パネル、７５…透光板、９Ｂ…コンロバーナ用操作子、９Ｇ…グリル用操作子、１３…帯状模様部、１３ａ…グリル扉の帯状模様部、１３ｂ…操作パネルの帯状模様部。
【図１】
2005351499.tif 000003
【図２】
2005351499.tif 000004